(57)【要約】【課題】ダクトの底部に粉塵が溜まることがなく、しかも、吊ボルトに重量及びモーメント力が作用しても、角ダクトががた付くことがない局所排気装置を提供する。【解決手段】下部が天井板１０よりも下方へ延在し上部が天井板１０の上方に延在する角ダクト９の下端に、下端にフードを備えた丸ダクト８，６及び継手７等を備えた三次元で移動可能な丸ダクトアッセンブリが接続された局所排気装置であって、丸ダクトアッセンブリの最上部の丸ダクト８は、角ダクト９内に回動可能に挿入されると共に、角ダクト９内には、最上部の丸ダクト８内に連通するよう、挿入丸ダクト２３が収納され、角ダクト９は吊ボルト１８及び揺止めボルト２７により支持される。【選択図】図１
2005134032.tif 000002
【特許請求の範囲】
【請求項１】
下部が天井板よりも下方へ延在し且つ上部が天井板の上方に延在する角ダクトの下端に、下端にフードを備えると共に三次元に移動可能な丸ダクト及び継手から成る丸ダクトアッセンブリが接続された局所排気装置であって、丸ダクトアッセンブリの最上部の丸ダクトは、前記角ダクトの下面から角ダクト内に回動可能に挿入されると共に、角ダクト内には、前記最上部の丸ダクト内に連通するよう、別の丸ダクトが配置されていることを特徴とする局所排気装置。
【請求項２】
角ダクト内に配置された丸ダクトは、前記丸ダクトアッセンブリの最上部の丸ダクトの上端部から上方に延在している請求項１記載の局所排気装置。
【請求項３】
角ダクト内に配置された丸ダクトの内径は、前記丸ダクトアッセンブリの最上部の丸ダクトの内径と略同径か或は若干異なる径となるよう構成されている請求項１又は２記載の局所排気装置。
【請求項４】
前記丸ダクトアッセンブリの最上部の丸ダクトは、角ダクトの下端部に着脱可能に嵌入した受け部材に回動可能に嵌合され、角ダクト内に配置された丸ダクトは前記受け部材に支持されている請求項１、２又は３記載の局所排気装置。
【請求項５】
角ダクト内に配置された丸ダクトは、角ダクト上部に設けられたフランジを吊下げる吊部材に丸ダクトに設けられたフランジを介して締結されている請求項１、２、３又は４記載の局所排気装置。
【請求項６】
角ダクトは、該角ダクトの上面に一体的に設けられたフランジ、及び該フランジの上面に支持されると共に丸ダクトが貫通し、しかも内周縁部に当該丸ダクトの外周が当接するよう開口部が形成されたフランジ、並びに丸ダクトに取付けられたフランジを吊部材により締結することにより、縦断面において各吊部材ごとに上下２点、合計４点で支持するよう構成した請求項１、２、３、４又は５記載の局所排気装置。
【請求項７】
角ダクトは、吊部材以外に揺止め部材を介し支持されている請求項１、２、３、４、５又は６記載の局所排気装置。
【請求項８】
角ダクトの天井板よりも下方の部分を、壁から突出させた固定部材により固定した請求項１、２、３、４、５、６又は７記載の局所排気装置。
【発明の詳細な説明】
【技術分野】
【０００１】
本発明は局所排気装置に関するものである。
【背景技術】
【０００２】
工場内の各種生産設備には、粉塵、臭気、有害物質等を含む排気を発生させる装置があり、斯かる装置で発生した排気を工場内に拡散させないようにするため、前記装置で発生した排気を局所的に排気するための局所排気ダクト系を各装置に対応して設置することが行われている。
【０００３】
この局所排気ダクト系としては、排気を発生する装置が可動式であったり、或は装置の一部上面が開口していたり、内部の空気圧力変動を嫌う装置であったりする場合、装置の排気箇所近傍にフードを設置するようにして、フードを介し間接的に排気を吸引するようにしたものがある。
【０００４】
間接排気を行うようにした局所排気装置の一例は図３、図４に示されている。図中、１は工場内の排気を発生する装置の近傍に配設されて排気を吸引し得るようにした丸型漏斗状のフード、２は一端部がフードの頂部に接続された丸ダクト、３は一端部が丸ダクト２の他端部に接続された継手、４は一端部が継手３の他端部に接続された丸ダクト、５は一端部が丸ダクト４の他端部に接続された継手、６は一端部が継手５の他端部に接続された丸ダクト、７は一端部が丸ダクト６の他端部に接続された継手、８は下端部が継手７の他端部に接続された天井下の丸ダクト、９は丸ダクト８の上端に接続された角ダクトである。継手３，５，７は何れも、手の関節のように二次元で動き得るようになっている。
【０００５】
而して、フード１、丸ダクト２、継手３、丸ダクト４、継手５、丸ダクト６、継手７、丸ダクト８により丸ダクトアッセンブリが形成されている。
【０００６】
角ダクト９の天井板１０よりも下方に位置する下端内部には、図４に示すように、外周が矩形で中央に円形の開口を持つ受け部材１１が着脱可能に嵌入されており、ねじ部材１２により角ダクト９に固定されるようになっている。又、丸ダクト８の上端部は、受け部材１１の孔１１ａ内に嵌入したＯリング１３に３６０度の範囲に亘り回動可能に嵌入されている。このため、前記丸ダクトアッセンブリは三次元で動き得るようになっている。
【０００７】
角ダクト９の天井内に位置する側部に取付けた接続口１４にはフレキシブルダクト１５か接続されており、フレキシブルダクト１５は図示されてない排気ファンに接続されている。
【０００８】
角ダクト９上端の角ダクトフランジ１６には盲フランジ１７が配置され、角ダクトフランジ１６と盲フランジ１７とには、上端が図示しない吊元に固定された全ねじの吊ボルト１８の下端が締結されている。
【０００９】
天井板１０の角ダクト９貫通部には、コーキング１９が施されており、天井板１０の下面には、角ダクト９に外嵌された化粧板２０がねじ部材２１により取付けられて、コーキング１９が室内から見えないようになっている。
【００１０】
上記局所排気装置では、図示してない排気ファンが駆動されることにより、装置から排出された排気は、フード１内に吸引され、丸ダクト２、継手３、丸ダクト４、継手５、丸ダクト６、継手７、丸ダクト８を順次経て角ダクト９内に導入され、角ダクト９からフレキシブルダクト１５を通り、排気ファンによって排気される。
【００１１】
或る装置の局所排気から他の装置の局所排気に切替える場合には、フード１を対象の装置の近傍に移動させれば良い。この際、継手３，５，７が設けられているうえ、丸ダクト８は受け部材１１に対して水平方向へ回動するため、フード１の目的機器への移動は支障なく円滑に行われる。
【００１２】
上記局所排気装置以外の排気装置の例としては特許文献１、特許文献２、特許文献３がある。
【００１３】
特許文献１は、浴室等の天井面には換気口が形成されていると共に、室外側に配設した排気ダクトには本体が連結されている換気装置であって、前記排気ダクトの接合部を備えた本体と天井側に取付ける底板とは一体に形成され、前記底板は天井の上面に取付けた補強部材に固定されているものである。
【００１４】
特許文献２は、壁或は天井に設けた排風孔に挿入し取付けるためのパイプであって、排風孔に挿入し、一端にフランジを設けたパイプ本体と、パイプ本体のフランジ寄りの外周の近傍に設けられた押圧部材と、フランジの所定の位置にねじ込み或は挿入可能に取付けられ、先端部がねじ込み可能に取付けられ、ねじ込むことにより押圧部材の先端部をフランジ方向へ引寄せて排風孔の外周近傍の壁面材をフランジとの間に挟持し、パイプ本体を固定する押圧部材引寄せ部材と、を備えている。
【００１５】
特許文献３では、室内壁裏に設けた排気ダクトに連通する固定垂下筒に、下端に集煙フードが取付けられた摺動昇降筒が嵌合されている。
【特許文献１】特開平６−２５７８１０号公報
【特許文献２】特開２０００−４６３８７号公報
【特許文献３】特開平９−１１２９８６号公報
【発明の開示】
【発明が解決しようとする課題】
【００１６】
しかしながら、図３、図４に示す局所排気装置においては、角ダクト９の底部に排気中に含まれていた粉塵２２（図４参照）が溜まり、局所排気の排気ファンを停止した際に、角ダクト９の底部（受け部材１１の上面）に溜まった粉塵２２が、図４の矢印イ方向へ逆流して下方へ落下することがあり、不都合であった。
【００１７】
又、吊ボルト１８には角ダクトフランジ１６、盲フランジ１７を介し、角ダクト９、丸ダクト８，６，４，２及び継手７，５，３並びにフード１の重量が支持されると共に、丸ダクト８，６，４，２が継手７，５，３に対し摺動したり、丸ダクト８が角ダクト９に対し回動する場合に生じるモーメント力も、角ダクト９、角ダクトフランジ１６、盲フランジ１７を介し吊ボルト１８に支持される。そのため、前記重量及びモーメント力を、角ダクト９、角ダクトフランジ１６、盲フランジ１７を介し吊ボルト１８により支持するには、構造的に剛性が低く、角ダクト９にがた付きが生じる虞がある。
【００１８】
特許文献１では、換気ダクトの接合部を備えた本体と天井側に取付ける底板とは一体に形成され、前記底板は天井の上面に平板状の補強部材を介して取付けられているが、前記本体にはブレース状の部材が設けられてないため、長期間の使用により前記本体にがた付きを生じる虞がある。
【００１９】
特許文献２では、壁或は天井に形成した排風孔にパイプ本体が挿入され、パイプ本体は天井に支持されているが、天井板をフランジと共に挾持する押圧部材が小さくその点数も２点程度で少く、又パイプ本体にはブレース状の部材が設けられてないため、長期間の使用により前記パイプ本体にがた付きを生じる虞がある。
【００２０】
特許文献３では、室内壁裏に設けた排気ダクトに連通する固定垂下筒は、排気ダクトと共に天井に支持されてはいるが、固定垂下筒及び排気ダクトは天井に支持されているだけで、ブレース状の部材が設けられてないため、摺動昇降筒の昇降に伴う振動等により前記パイプ本体にがた付きを生じる虞がある。
【００２１】
本発明は、上記実情に鑑み、角ダクトの底部に粉塵が溜まることがなく、しかも、吊ボルトに重量及びモーメント力が作用しても、角ダクトががた付くことがない局所排気装置を提供することを目的としてなしたものである。
【課題を解決するための手段】
【００２２】
請求項１の局所排気装置は、下部が天井板よりも下方へ延在し且つ上部が天井板の上方に延在する角ダクトの下端に、下端にフードを備えると共に三次元に移動可能な丸ダクト及び継手から成る丸ダクトアッセンブリが接続された局所排気装置であって、丸ダクトアッセンブリの最上部の丸ダクトは、前記角ダクトの下面から角ダクト内に回動可能に挿入されると共に、角ダクト内には、前記最上部の丸ダクト内に連通するよう、別の丸ダクトが配置されているものである。
【００２３】
請求項２の局所排気装置においては、角ダクト内に配置された丸ダクトは、前記丸ダクトアッセンブリの最上部の丸ダクトの上端部から上方に延在しているものである。
【００２４】
請求項３の局所排気装置においては、角ダクト内に配置された丸ダクトの内径は、前記丸ダクトアッセンブリの最上部の丸ダクトの内径と略同径か或は若干異なる径となるよう構成されているものである。
【００２５】
請求項４の局所排気装置においては、前記丸ダクトアッセンブリの最上部の丸ダクトは、角ダクトの下端部に着脱可能に嵌入した受け部材に回動可能に嵌合され、角ダクト内に配置された丸ダクトは前記受け部材に支持されているものである。
【００２６】
請求項５の局所排気装置においては、角ダクト内に配置された丸ダクトは、角ダクト上部に設けられたフランジを吊下げる吊部材に丸ダクトに設けられたフランジを介して締結されているものである。
【００２７】
請求項６の局所排気装置においては、角ダクトは、該角ダクトの上面に一体的に設けられたフランジ、及び該フランジの上面に支持されると共に丸ダクトが貫通し、しかも内周縁部に当該丸ダクトの外周が当接するよう開口部が形成されたフランジ、並びに丸ダクトに取付けられたフランジを吊部材により締結することにより、縦断面において各吊部材ごとに上下２点、合計４点で支持するよう構成されている。
【００２８】
請求項７の局所排気装置においては、角ダクトは、吊部材以外に揺止め部材を介し支持されており、請求項８の局所排気装置においては、角ダクトの天井板よりも下方の部分を、壁から突出させた固定部材により固定している。
【発明の効果】
【００２９】
本発明の請求項１〜８記載の局所排気装置によれば、角ダクトの底部には、排気中に含まれていた粉塵が溜まることはなく、局所排気の排気ファンを停止した際に、粉塵が、逆流して下方へ落下することがなく、又、角ダクトは強固且つ確実に支持されるため、使用により角ダクトにがた付きが生じることがなく、更に、受け部材は着脱可能であるため、角ダクト内や挿入丸ダクト内の清掃を容易に行うことができ、更に又、角ダクトの天井板よりも下方の部分には、揺止めボルトが取付けられていないため、見栄えも良好である、等種々の優れた効果を奏し得る。
【発明を実施するための最良の形態】
【００３０】
以下、本発明の実施の形態を図示例と共に説明する。
図１及び図２は本発明を実施する形態の一例であって、図中、図３、図４と同一の符号を付した部分は同一物を表わしている。而して、本図示例においては、角ダクト９の天井板１０よりも上部の高さを、図３、図４の場合よりも短く形成すると共に、図４において図示した角ダクト９側面の接続口１４を撤去し、角ダクト９上端の盲フランジ１７の中央に開口部１７ａを設けて相方フランジ１７’を形成すると共に、角ダクト９内下端の受け部材１１の上面に、内径が受け部材１１の孔１１ａの内径と同一径に形成されて上方へ突出した縁部１１ｂを一体的に設け、縁部１１ｂに、内径が縁部１１ｂの外形よりもわずかに大径の挿入丸ダクト２３の下端を外嵌させている。挿入丸ダクト２３の内径は丸ダクト８の内径と略同一にしても良い。すなわち、挿入丸ダクト２３を縁部１１ｂに内嵌させても良い。
【００３１】
挿入丸ダクト２３は相方フランジ１７’の開口部１７ａを挿通して角ダクト９よりも上方へ突出しており、挿入丸ダクト２３の上端部には、軸心方向中途部に丸ダクトフランジ２４ａが固設された短管２４が固設されている。相方フランジ１７’の開口部１７ａの内径は、挿入丸ダクト２３の外径よりも僅かに大きく、挿入丸ダクト２３の外周は開口部１７ａの内周縁部に当接している。又、短管２４には、排気ファンに接続されたフレキシブルダクト２５が接続されている。
【００３２】
角ダクト９の角ダクトフランジ１６には、相方フランジ１７’を介して、上方へ延在する全ねじの吊ボルト１８の下端が固設されている。吊ボルト１８の中途部は丸ダクトフランジ２４ａを挿通して上方へ延びその上端は図示してない吊元に固定されている。而して、丸ダクトフランジ２４ａは吊ボルト１８に固定されている。
【００３３】
角ダクト９の角ダクトフランジ１６には、ブラケット２６が取付けられ、ブラケット２６には、ブレースとして機能する全ねじの揺止めボルト２７が固定されている。揺止めボルト２７は斜め上方へ延在してその上端部は吊元に固定されている。
【００３４】
次に、上記図示例の作動を説明する。
本図示例の局所排気装置では、図示してない排気ファンが駆動されることにより、装置から排出された排気は、フード１内に吸引され、丸ダクト２、継手３、丸ダクト４、継手５、丸ダクト６、継手７、丸ダクト８を順次経て角ダクト９内の挿入丸ダクト２３に導入され、挿入丸ダクト２３からフレキシブルダクト２５を通り、排気ファンにより排気される。
【００３５】
或る装置の局所排気から他の装置の局所排気に切替える場合には、フード１を対象の装置の近傍に移動させれば良い。この際、継手３，５，７が設けられていると共に、丸ダクト８は受け部材１１に対し水平方向へ回動し得るため、フード１の目的機器への移動は支障なく円滑に行われる。
【００３６】
この場合、図１、図２に示す局所排気装置においては、角ダクト９内に丸ダクト８の内径よりも若干太径に形成された挿入丸ダクト２３を収納しており、従って、丸ダクト８からの排気は挿入丸ダクト２３内を通過する。このため、角ダクト９の底部には、排気中に含まれていた粉塵が溜まることはなく、局所排気の排気ファンを停止した際に、粉塵が、逆流して下方へ落下することがない。
【００３７】
吊ボルト１８には、相方フランジ１７ａ’、角ダクトフランジ１６、ダクト９、受け部材１１を介して、丸ダクト８，６，４，２及び継手７，５，３並びにフード１の重量が支持されると共に、丸ダクトフランジ２４ａ及び相方フランジ１７ａ’、角ダクトフランジ１６、角ダクト９、受け部材１１を介して、挿入丸ダクト２３、丸ダクトフランジ２４ａ付きの短管２４の重量が支持される。又、丸ダクト８，６，４，２が継手７，５，３に対し摺動したり、丸ダクト８が角ダクト９に対し回動する場合に生じるモーメント力は、受け部材１１、角ダクト９、角ダクトフランジ１６、相方フランジ１７’を介すると共に、受け部材１１、挿入丸ダクト２３、相方フランジ１７’の開口部１７ａの内周縁部，相方フランジ１７’を介し、更には、受け部材１１、挿入丸ダクト２３、短管２４、丸ダクトフランジ２４ａを介して、吊ボルト１８に支持されると同時にブラケット２６に接続されている揺止めボルト２７に支持される。
【００３８】
このため、本図示例では、角ダクト９は剛性が向上して強固且つ確実に支持され、従って使用により角ダクト９にがた付きが生じることがない。又、角ダクト９の天井板１０よりも下方の部分には、揺止めボルトが取付けられていないため、見栄えも良好である。
【００３９】
なお、本発明の局所排気装置においては、天井板１０の上部において、角ダクト９の角ダクトフランジ１６にブラケット２６を介して揺止めボルト２７を接続する場合について説明したが、角ダクト９の天井板１０下方の部分が長い場合には、例えば、側壁から突出させた揺止め部材により角ダクト９を固定するようにしても実施可能なこと、その他、本発明の要旨を逸脱しない範囲内において種々変更を加え得ることは勿論である。
【図面の簡単な説明】
【００４０】
【図１】本発明の局所排気装置の実施の形態の一例の斜視図である。
【図２】図１の縦断面図である。
【図３】局所排気装置における天井下の部分の外形の一例を示す斜視図である。
【図４】従来の局所排気装置の縦断面図である。
【符号の説明】
【００４１】
１    フード
２    丸ダクト（丸ダクトアッセンブリ）
３    継手（丸ダクトアッセンブリ）
４    丸ダクト（丸ダクトアッセンブリ）
５    継手（丸ダクトアッセンブリ）
６    丸ダクト（丸ダクトアッセンブリ）
７    継手（丸ダクトアッセンブリ）
８    丸ダクト（丸ダクトアッセンブリ）
９    角ダクト
１０    天井板
１１    受け部材
１６    角ダクトフランジ（フランジ）
１７’  相方フランジ（フランジ）
１７ａ  開口部
１８    吊ボルト（吊部材）
２３    挿入丸ダクト（丸ダクト）
２４ａ  丸ダクトフランジ（フランジ）
２７    揺止めボルト（揺止め部材）
【図１】
2005134032.tif 000003
【図２】
2005134032.tif 000004
【図３】
2005134032.tif 000005
【図４】
2005134032.tif 000006